(57)【要約】【課題】目皿の盗難や紛失を防止することができ、排水口付近の清掃作業性も良好な排水器具を提供する。【解決手段】排水器具１は、洗面器の排水口に設置される略円筒状の排水口本体５の上面開口部５ａに着脱可能な目皿６と、この目皿６の中心部を貫通する挿通孔６ｂにその軸心方向に移動可能に配置された支軸７と、支軸７の上端部に設けられた傘形状のカバー部材８と、支軸７の下端部に雄ねじ９で固定された角枠形状の係合部材１０ａ，１０ｂとを備えている。支軸７の下端部に固定された係合部材１０ａ，１０ｂは、排水口本体５内にその直径方向に設けられた十字状の係止部５ｂに昇降可能に係合させるための部材であり、これらの係合部材１０ａ，１０ｂに、支軸７を介して特定の動きを与えたときのみ、係合部材１０ａ，１０ｂを係止部５ｂに着脱することができる。【選択図】  図２
2005290710.tif 000002
【特許請求の範囲】
【請求項１】
洗面器の排水口に設置される略円筒状の排水口本体の上面開口部に着脱可能な目皿と、上端部が露出した状態で前記目皿に緩挿された支軸と、前記排水口本体内にその直径方向に設けられた十字状の係止部に着脱可能に係合させるため前記支軸の下端部に設けられた係合部材と、前記支軸を介して前記係合部材に特定の動きを与えたときのみ前記係合部材が前記係止部に着脱する特定着脱手段と、を備えたことを特徴とする排水器具。
【請求項２】
前記係合部材は、前記係止部の一部が嵌入離脱可能な凹部を有し、前記特定着脱手段として、前記支軸を介して前記係合部材を前記支軸中心に回転させたときのみ前記係止部の一部が嵌入離脱可能な位置に前記凹部を設けた請求項１記載の排水器具。
【請求項３】
前記係合部材は、前記係止部の一部が通過可能な切欠部を有し、前記切欠部を通過して前記係止部の一部が挿通された状態で昇降可能であり、前記特定着脱手段として、前記支軸を介して前記係合部材をその最上位置と最下位置の間に保持して前記支軸中心に回転させたときのみ前記係止部の一部が通過可能な位置に前記切欠部を設けた請求項１記載の排水器具。
【請求項４】
一対の前記係合部材を前記排水口本体の軸心を挟んで互いに対向するように配置した請求項２または３記載の排水器具。
【請求項５】
前記支軸の上端部に傘形状のカバー部材を設けた請求項１〜４のいずれかに記載の排水器具。
【請求項６】
前記係合部材が前記支軸に着脱可能である請求項１〜５のいずれかに記載の排水器具。
【発明の詳細な説明】
【技術分野】
【０００１】
本発明は、水溜め機能を有しない洗面器や手洗い器などの排水口に設けられる排水器具に関する。
【背景技術】
【０００２】
公共施設の化粧室などには利用者が手や顔などを洗うための洗面所が併設されており、このような洗面所には給水設備付きの洗面器や手洗い器などが設置されている。これらの洗面器や手洗い器などの底部にある排水口には、手洗い時に誤って落下した指輪やコンタクトレンズあるいは固形異物などが排水管に流れ込むのを防止するため、複数の貫通孔を有する目皿が取り付けられている。
【０００３】
しかしながら、従来の目皿は、排水口を構成する部材から独立した部材であり、排水口に着脱可能な構造であったため、悪戯によって持ち去られたり、いつのまにか紛失したりすることが少なくなかった。
【０００４】
そこで、このような目皿の盗難や紛失を防止するため、排水口部材から目皿を取り外すことができないようにした「水槽底部への目皿の装着構造」が開発されている（例えば、特許文献１参照。）。この「水槽底部への目皿の装着構造」は、目皿に設けられた下軸部を排水口の中心部の円筒部内に上下摺動可能に嵌合させ、この下軸部の下端に設けられたストッパ部と円筒部下端との当接により、目皿の抜けを防止するものである。
【０００５】
このような構造とすることにより、目皿は、一定距離だけ昇降可能であって排水口部材から抜けないものとなるため、目皿の盗難や紛失を防止することができるだけでなく、清掃作業も比較的容易である。
【０００６】
【特許文献１】特開平９−３７９７５号公報（第３−６頁）
【発明の開示】
【発明が解決しようとする課題】
【０００７】
特許文献１に記載された「水槽底部への目皿の装着構造」の場合、排水口部材から目皿を取り外すことができないので、排水口内の清掃作業がやりにくい。また、目皿が破損した場合、目皿のみを交換することができず、排水口本体も交換する必要があるため、メンテナンス性が良くない。
【０００８】
また、特許文献１に記載された「水槽底部への目皿の装着構造」の場合、目皿の上面が開放された状態にあるため、目皿に捕集された髪の毛や異物が目につきやすく、外観性が悪い。また、目皿の貫通孔に異物を挿入するなどの悪戯を誘発しやすい。
【０００９】
本発明が解決しようとする課題は、目皿の盗難や紛失を防止することができ、排水口付近の清掃作業性も良好な排水器具を提供することにある。
【課題を解決するための手段】
【００１０】
本発明の排水器具は、洗面器の排水口に設置される略円筒状の排水口本体の上面開口部に着脱可能な目皿と、上端部が露出した状態で目皿に緩挿された支軸と、排水口本体内にその直径方向に設けられた十字状の係止部に着脱可能に係合させるため支軸の下端部に設けられた係合部材と、支軸を介して係合部材に特定の動きを与えたときのみ係合部材が係止部に着脱する特定着脱手段と、を備えたことを特徴とする。
【００１１】
ここで、緩挿とは、支軸がその軸心方向に移動可能およびその軸心中心に回転可能な状態に目皿を貫通している状態をいい、特定の動きとは、支軸の軸心方向の移動、前記軸心回りの回転、あるいはこれらの移動および回転を組み合わせた動きをいう。
【００１２】
このような構成とすることにより、本発明の排水器具は、排水口本体の開口部に着脱可能な目皿に上端部が露出した状態で緩挿された支軸の下端に係合部材が設けられた構造となる。したがって、目皿を上にした状態で排水口本体の開口部に係合部材を差し込み、支軸を介して係合部材に特定の動きを与えて、係合部材を排水口本体内の係止部に係合させた後、目皿を開口部に嵌入すれば、排水器具を排水口本体に装着することができる。
【００１３】
支軸は排水口本体に対して昇降、回転可能であるが、支軸を介して係合部材に特定の動きを与えない限り、排水口本体内の係止部から係合部材が離脱しないので、目皿の盗難や紛失を防止することができる。なお、支軸および係合部材は一体的構造であるため、排水口本体内の係止部に係合部材を着脱する場合、目皿の上方に露出する支軸を手動操作することによって係合部材に特定の動きを与えることができる。このため、特定着脱手段の着脱操作を知っている関係者、例えば、施工業者や清掃担当者であれば容易に着脱操作をすることができる。
【００１４】
この場合、前記係合部材は、係止部の一部が嵌入離脱可能な凹部を有するものとし、前記特定着脱手段として、支軸を介して係合部材を支軸中心に回転させたときのみ係止部の一部が嵌入離脱可能な位置に凹部を設けることができる。このような構成とすれば、目皿を上にした状態で排水口本体の開口部に係合部材を差し込み、支軸を介して係合部材を回転させ凹部に係止部を嵌入させた後、目皿を排水口本体の開口部に嵌入すれば、排水器具を排水口本体に装着することができる。装着後は、支軸を介して係合部材を支軸中心に逆回転させない限り、排水口本体の係止部から係合部材が離脱することはないので、目皿の盗難や紛失を有効に防止することができる。
【００１５】
この場合、一対の係合部材を排水口本体の軸心を挟んで互いに対向するように配置することもできる。このような配置とすれば、複数の係合部材が係止部に係合されるため、より確実な係合状態を得ることができる
【００１６】
一方、前記係合部材は、係止部の一部が通過可能な切欠部を有し、切欠部を通過して係止部の一部が挿通された状態で昇降可能なものとし、特定着脱手段として、支軸を介して係合部材をその最上位置と最下位置の間に保持して支軸中心に回転させたときのみ係止部の一部が通過可能な位置に切欠部を設けることもできる。
【００１７】
このような構成とすれば、当該排水器具は、排水口本体の開口部に着脱可能な目皿に先端部が露出した状態で緩挿された支軸の下端部に係合部材が設けられた構造となる。したがって、目皿を上にした状態で係合部材を排水口本体の開口部から内部に差し込み、支軸を介して係合部材に特定の動きを与えて、係合部材を排水口本体内の係止部に係合させた後、目皿を排水口本体の開口部に嵌入すれば、排水水器具が排水口本体に装着される。
【００１８】
支軸は排水口本体に対して昇降可能であるが、支軸を介して係合部材に特定の動きを与えない限り、排水口本体内の係止部から係合部材が離脱しないので、目皿の盗難や紛失を防止することができる。また、露出した支軸の上端部を手動操作して係合部材に特定の動きを与えれば、係合部材が排水口本体内の係止部から離脱して、排水器具を排水口本体から取り外すことができるため、排水口本体の清掃作業性も良好である。
【００１９】
また、前記係合部材をその最上位置と最下位置の間の特定高さに保持した不安定な状態で支軸を軸心中心に回転させたときのみ、当該係合部材が係止部に着脱可能となるため、特定着脱手段の着脱機能が関係者以外の不特定人に容易に気付かれることがなくなり、目皿の盗難や紛失をより確実に防止することができる。
【００２０】
この場合、一対の前記係合部材を排水口本体の軸心を挟んで互いに対向するように配置することが望ましい。このような配置とすれば、複数の係合部材が係止部に係合されるため、より確実な係止状態を得ることができるほか、支軸を昇降させる際の安定性、操作性も向上する。
【００２１】
ここで、前記支軸の上端部に傘形状のカバー部材を設けることもできる。このような構成とすれば、目皿の上方に傘形状のカバー部材が位置し、目皿の上面部分がカバー部材で覆われた状態となるため、目皿に捕集された髪の毛や異物が目につき難くなり、外観性が向上する。さらに、カバー部材は支軸とともに昇降可能、回転可能であるため、操作性も向上し、排水口付近の清掃作業性も良好である。
【００２２】
さらに、係合部材を支軸に着脱可能な構造とすることもできる。このような構造とすれば、排水口本体から取り外した排水器具を、さらに、目皿と、その他の部材（カバー部材付きの支軸、係合部材）とに分解することが可能となるため、排水器具自体の清掃性、メンテナンス性が向上する。
【発明の効果】
【００２３】
洗面器の排水口に設置される略円筒状の排水口本体の上面開口部に着脱可能な目皿と、上端部が露出した状態で目皿に緩挿された支軸と、排水口本体内にその直径方向に設けられた十字状の係止部に着脱可能に係合させるため支軸の下端部に設けられた係合部材と、支軸を介して係合部材に特定の動きを与えたときのみ係合部材が係止部に着脱する特定着脱手段と、を備えたことにより、目皿の盗難や紛失を防止することができ、排水口付近の清掃作業性が良好となる。
【発明を実施するための最良の形態】
【００２４】
以下、図面を参照しながら、本発明の実施の形態である排水器具について詳しく説明する。図１は本発明の実施の形態である排水器具を洗面器に取り付けた状態で示す正面図であり、図２は図１に示す排水器具の斜視図であり、図３は図１に示す排水器具の分解斜視図であり、図４，図５は図２におけるＡ−Ａ線断面図である。
【００２５】
図１〜図３に示すように、本実施形態の排水器具１は、オーバーフロー通水路３を有する洗面器２の排水口４にパッキン１３およびナット１４で設置される略円筒状の排水口本体５の上面開口部５ａに着脱可能な目皿６と、この目皿６の中心部を貫通する挿通孔６ｂにその軸心方向に移動可能に配置された支軸７と、支軸７の上端部に設けられた傘形状のカバー部材８と、支軸７の下端に雄ねじ９で固定された係合部材１０ａ，１０ｂとを備えている。係合部材１０ａ，１０ｂは角枠形状であり、それぞれの一部に切欠部１１ａ，１１ｂが設けられている。
【００２６】
目皿６には、その軸心方向に貫通する複数の貫通孔６ａが、中心部にある挿通孔６ｂの回りに等間隔に配置され、目皿の側壁外周にはＯリング１２が装着されている。排水口本体５の側壁には、オーバーフロー通水路３を経由して流れてくる排水を導入するための開口部５ｃが軸心を挟んで互いに対向する位置に開設されている。また、目皿６の貫通孔６ａおよび開口部５ｃから排水口本体５に流れ込んだ排水を外部へ送給するための排水管１５が排水口本体５の下端に接続されている。
【００２７】
支軸７の下端に固定された係合部材１０ａ，１０ｂは、排水口本体５内にその直径方向に設けられた十字状の係止部５ｂに昇降可能に係合させるための部材である。そして、これらの係合部材１０ａ，１０ｂに、支軸７を介して、後述する特定の動きを与えたときのみ、これらの係合部材１０ａ，１０ｂが係止部５ｂに着脱する特定着脱手段として、それぞれ係止部５ｂが通過可能な切欠部１１ａ，１１ｂが設けられている。また、カバー部材８と目皿６との距離を一定に保つため、支軸７のカバー部材８寄りの部分には、挿通孔６ｂの内径より外径の大きなストッパ部７ａ（図５参照）が設けられている。
【００２８】
このように、本実施形態の排水器具１は、洗面器２の排水口４に取り付けられた排水口本体５の上面開口部５ａに着脱可能な目皿６の挿通孔６ｂを支軸７が移動可能および回転可能に貫通し、この支軸７の上端部に傘形状のカバー部材８、下端部に係合部材１０ａ，１０ｂが設けられた構造となる。
【００２９】
したがって、図３に示すように、カバー部材８を真上にした状態で真下に向けた係合部材１０ａ，１０ｂを排水口本体５の上面開口部５ａから内部に差し込み、係合部材１０ａ，１０ｂの切欠部１１ａ，１１ｂが、係止部５ｂと同じ高さになるまで係合部材１０ａ，１０ｂを下降させ、その状態を保ちながら係合部材１０ａ，１０ｂを支軸７を中心に平面視で時計回りに回転させると、それぞれの切欠部１１ａ，１１ｂが係止部５ｂを通過して、角枠形状の係合部材１０ａ，１０ｂの内部に係止部５ｂが位置する。
【００３０】
この後、係合部材１０ａ，１０ｂをそのまま下降させると、係合部材１０ａ，１０ｂ内に係止部５ｂが位置した状態で切欠部１１ａ，１１ｂが係止部５ｂより下へ移動する。この後、目皿６を上面開口部５ａに嵌入させれば、支軸７のストッパ部７ａが目皿６の挿通孔６ｂの上面に位置した時点で支軸７が保持され、排水器具１の装着が完了する。
【００３１】
このように、係合部材１０ａ，１０ｂを排水口本体５の上面開口部５ａから一定深さまで内部に差し込んで時計回りに回転させた後、そのまま下降させるという特定の動きを与えることにより、係合部材１０ａ，１０ｂを排水口本体５内の係止部５ｂに係合させ、目皿６を上面開口部５ａに嵌入させれば、図２および図４に示す状態で排水器具１を排水口本体５に取り付けることができる。また、このような取付操作は、カバー部材８を手指で掴んで支軸７を動かすことによって行うことができる。
【００３２】
排水口本体５に取り付けられた排水器具１においては、図４に示すように、ストッパ部７ａにより、目皿６から一定距離上方にカバー部材８が位置する状態が保たれるため、洗面器２（図１参照）内の水は目皿６とカバー部材８との隙間を経由して排水口本体５内へ流入することができる。
【００３３】
図４に示すように、カバー部材８は支軸７とともに昇降可能であるが、カバー部材８を手指で操作して係合部材１０ａ，１０ｂに対して前述した特定の動きと逆の動きを与えない限り、係合部材１０ａ，１０ｂは、排水口本体５内の係止部５ｂから離脱することがないので、目皿６やその他の部材の盗難や紛失を防止することができる。
【００３４】
また、目皿６の上方に傘形状のカバー部材８が常に位置し、目皿６の上面が覆われた状態となっているため、目皿６に捕集された髪の毛や異物が目につき難く、外観性も優れている。さらに、カバー部材８は支軸７とともに排水口本体５に対して昇降可能および回転可能であるため、図５に示すようにカバー部材８を持ち上げれば、目皿６上に溜まった異物や落下物を簡単に除去することができ、排水口付近の清掃作業性も極めて良好である。
【００３５】
さらに、係合部材１０ａ，１０ｂに前述した特定の動きと逆の動きを与えて係合部材１０ａ，１０ｂを排水口本体５内の係止部５ｂから離脱させれば、排水器具１を排水口本体５から取り外すことができるため、排水口本体５の清掃作業性も良好である。
【００３６】
なお、カバー部材８、支軸７および係合部材１０ａ，１０ｂは一体的構造をなしているため、排水口本体５内の係止部５ｂに係合部材１０ａ，１０ｂを着脱する場合、目皿６の上方に位置するカバー部材８を手で掴んで特定の昇降操作および回転操作を行えば、支軸７を介して係合部材１０ａ，１０ｂに係合方向あるいは離脱方向の特定の動きを与えることができる。したがって、このような特定着脱手段の着脱操作を知っている関係者、例えば、施工業者や清掃担当者であれば容易に着脱操作をすることができる。
【００３７】
本実施形態では、前述したように、係合部材１０ａ，１０ｂとして、排水口本体５の係止部５ｂの一部が通過可能な切欠部１１ａ，１１ｂを有し、切欠部１１ａ，１１ｂを通過して係止部５ｂの一部が挿通された状態で昇降可能な角枠形状の係合部材１０ａ，１０ｂを設けている。また、前記特定着脱手段として、この係合部材１０ａ，１０ｂをその最上位置（図５の状態）と最下位置（図４の状態）の間に保持して支軸７を中心に回転させたときのみ係止部５ｂの一部が通過可能な位置に切欠部１１ａ，１１ｂを設けている。
【００３８】
したがって、係合部材１０ａ，１０ｂをその最上位置と最下位置の間に保持した不安定な状態で支軸７を中心に回転させたときのみ、係合部材１０ａ，１０ｂが係止部５ｂに着脱可能である。このため、特定着脱手段の着脱機能が関係者以外の不特定人に容易に気づかれることがなく、目皿６の盗難や紛失をより確実に防止することができる。
【００３９】
また、一対の係合部材１０ａ，１０ｂは同じ形状であり、排水口本体５の軸心を挟んで互いに対向するように配置しているため、複数の係合部材１０ａ，１０ｂが係止部５ｂに係合されることとなり、確実な係止状態を得ることができるだけでなく、カバー部材８を昇降させる際の安定性、操作性も良好である。
【００４０】
さらに、係合部材１０ａ，１０ｂは雄ねじ９を用いて支軸７に着脱可能に固定されているため、排水口本体５から取り外した排水器具１を、さらに、目皿６と、カバー部材８つきの支軸７と、係合部材１０ａ，１０ｂとに分解することができるため、排水器具１自体の清掃性、メンテナンス性も優れている。
【００４１】
本実施形態では係合部材１０ａ，１０ｂは、それぞれ切欠部１１ａ，１１ｂを有する角枠形状であるが、この形状に限定するものではないので、係止部５ｂの一部が通過可能な切欠部を有するものであれば、丸枠形状、楕円枠形状、長円枠形状、不定形枠形状などとすることもできる。
【００４２】
次に、図６〜図８を参照して、本発明のその他の実施の形態である排水器具２０，３０について説明する。なお、図６〜図８において、図１〜図５の符号と同じ符号を付している部材は、前述した排水器具１の構成部材と同じ機能、効果を発揮する部分であり、説明を省略する。
【００４３】
図６に示す排水器具２０においては、支軸２７の上端部２７ａが露出した状態で目皿６の挿通孔６ｂに昇降可能および回転可能に緩挿されている。上端部２７ａは、挿通孔６ｂの内径よりも広がったフランジ形状をなしているので、図６に示すように、支軸２７は、その上端部２７ａが目皿６の上面から突出した状態に保たれている。
【００４４】
排水口本体５に対する排水器具２０の装着、離脱手順および機能などは、排水器具１と同様であり、上端部２７ａを手指で掴んで昇降、回転操作することにより支軸２７を介して係合部材１０ａ，１０ｂに特定の動きを与えることができる。排水器具２０の場合、上部カバー部材８（図４参照）がないので、目皿６上面の清掃がしやすく、上部カバー部材８と排水口本体５の上面開口部５ａとの隙間に異物が挟まることもない。その他の機能、効果などは排水器具１と同様である。
【００４５】
一方、図７，図８に示す排水器具３０においては、支軸３７の下端部に、排水器具１における係合部材１０ａ，１０ｂの代わりに係合部材３１ａ，３１ｂを取り付けている。係合部材３１ａ，３１ｂはそれぞれ、係止部５ｂの一部が嵌入離脱可能な凹部３２ａ，３２ｂを有しており、特定着脱手段として、支軸３７を介して係合部材３１ａ，３１ｂを支軸３７中心に回転させたときのみ係止部５ｂの一部が嵌入離脱可能な位置に凹部３２ａ，３２ｂを設けている。
【００４６】
このような構成とすれば、目皿６を上にした状態で排水口本体５の上面開口部５ａに係合部材３１ａ，３１ｂを差し込み、支軸３７を介して係合部材３１ａ，３１ｂを回転させそれぞれの凹部３２ａ，３２ｂに係止部５ｂを嵌入させた後、目皿６を排水口本体５の上面開口部５ａに嵌入すれば、排水器具３０を排水口本体５に装着することができる。
【００４７】
排水器具３０を排水口本体５に装着した後は、カバー部材８を手指で掴んで支軸３７を介して係合部材３１ａ，３１ｂを支軸３７中心に逆回転させない限り、排水口本体５の係止部５ｂから係合部材３１ａ，３１ｂが離脱することはないので、目皿６などの盗難や紛失を有効に防止することができる。その他の機能、効果などは排水器具１と同様である。
【００４８】
また、一対の係合部材３１ａ，３１ｂは同じ形状であり、排水口本体５の軸心を挟んで互いに対向するように配置しているため、複数の係合部材３１ａ，３１ｂがそれぞれ係止部５ｂに係合されることとなり、確実な係止状態を得ることができる。
【００４９】
さらに、係合部材３１ａ，３１ｂは雄ねじ９を用いて支軸７に着脱可能に固定されているため、排水口本体５から取り外した排水器具１を、さらに、目皿６と、カバー部材８付きの支軸７と、係合部材３１ａ，３１ｂとに分解することができるため、排水器具１自体の清掃性、メンテナンス性も優れている。
【００５０】
なお、本実施形態においては、係合部材３１ａ，３１ｂに設けられた凹部３２ａ，３２ｂは、図８に示すようにコ字状の湾形状をなしているが、この形状に限定するものではないので、係止部５ｂの一部が嵌入離脱可能な形状であれば、その他の形状とすることもできる。
【産業上の利用可能性】
【００５１】
本発明の排水器具は、水溜め機能を有しない洗面器や手洗い器などの排水口に取り付けて使用することができる。
【図面の簡単な説明】
【００５２】
【図１】本発明の実施の形態である排水器具を洗面器に取り付けた状態で示す正面図である。
【図２】図１に示す排水器具の斜視図である。
【図３】図１に示す排水器具の分解斜視図である。
【図４】図２におけるＡ−Ａ線断面図である。
【図５】図２におけるＡ−Ａ線断面図である。
【図６】その他の実施の形態である排水器具を示す垂直断面図である。
【図７】その他の実施の形態である排水器具を示す垂直断面図である。
【図８】図７におけるＢ−Ｂ線断面図である。
【符号の説明】
【００５３】
１，２０，３０  排水器具
２  洗面器
３  オーバーフロー通水路
４  排水口
５  排水口本体
５ａ  上面開口部
５ｂ  係止部
５ｃ  開口部
６  目皿
６ａ  貫通孔
６ｂ  挿通孔
７，２７，３７  支軸
７ａ  ストッパ部
８  カバー部材
９  雄ねじ
１０ａ，１０ｂ，３１ａ，３１ｂ  係合部材
１１ａ，１１ｂ  切欠部
１２  Ｏリング
１３  パッキン
１４  ナット
１５  排水管
２７ａ  上端部
３２ａ，３２ｂ  凹部
【図１】
2005290710.tif 000003
【図２】
2005290710.tif 000004
【図３】
2005290710.tif 000005
【図４】
2005290710.tif 000006
【図５】
2005290710.tif 000007
【図６】
2005290710.tif 000008
【図７】
2005290710.tif 000009
【図８】
2005290710.tif 000010